(57)【要約】【課題】  画像データを外部機器に転送する際の制御に関し、特に、画像と画像に関連したデータを適切に外部装置に転送する。【解決手段】  画像データを記録する第１の記録手段と、画像データと関連する関連データを記録する第２の記録手段と外部装置に転送対象とする画像データを管理する管理手段と、外部装置に転送する画像データを選択する選択手段と、選択された画像データを外部装置に転送する転送手段と、第２の記録手段により関連データが記録されるタイミングで、関連データに対応する画像データが既に転送対象として管理されているかを判定する判定手段とを有し、判定手段により、関連データに対応する画像データが既に転送対象として管理されていると判定された場合、管理手段は、当該関連データも転送対象として管理することを特徴とする。【選択図】  図３
2018186467.tif 000002
【特許請求の範囲】
【請求項１】
画像データを記録する第１の記録手段と、
前記画像データと関連する関連データを記録する第２の記録手段と
外部装置に転送対象とする画像データを管理する管理手段と、
前記第１の記録手段により記録された画像データのうち、前記外部装置に転送する画像データを選択する選択手段と、
前記選択手段により選択された画像データを前記外部装置に転送する転送手段と、
前記第２の記録手段により前記関連データが記録されるタイミングで、前記記録される関連データに対応する画像データが前記管理手段により既に転送対象として管理されているかを判定する判定手段とを有し、
前記判定手段により、前記記録される関連データに対応する画像データが前記管理手段により既に転送対象として管理されていると判定された場合、前記管理手段は、当該関連データも転送対象として管理することを特徴とする通信装置。
【請求項２】
前記関連するデータは音声データであることを特徴とする請求項１に記載の撮像装置。
【請求項３】
前記判定手段により、前記記録される関連データに対応する画像データが前記管理手段により既に転送対象として管理され、かつ転送待ちの状態であると判定された場合、前記管理手段は、当該関連データも転送対象として管理することを特徴とする請求項１に記載の通信装置。
【請求項４】
外部装置に転送対象とする画像データの管理が可能な通信装置の制御方法であって、
画像データを記録する第１の記録工程と、
前記画像データと関連する関連データを記録する第２の記録工程と
前記第１の記録工程で記録された画像データのうち、前記外部装置に転送する画像データを選択する選択工程と、
前記選択工程で選択された画像データを前記外部装置に転送する転送工程と、
前記第２の記録手段により前記関連データが記録されるタイミングで、前記記録される関連データに対応する画像データが既に前記転送対象として管理されているかを判定する判定工程と、
前記判定工程で、前記記録される関連データに対応する画像データが既に転送対象として管理されていると判定された場合、当該関連データも転送対象として管理する工程とを有することを特徴とする通信装置の制御方法。
【請求項５】
コンピュータを、請求項１乃至３のいずれか１項に記載の通信装置の各手段として機能させる、コンピュータによる実行が可能なプログラム。
【発明の詳細な説明】
【技術分野】
【０００１】
本発明は、画像データを外部機器に転送する際の制御に関し、特に、画像データと画像データに関連したデータを転送する際の制御に関するものである。
【背景技術】
【０００２】
従来、ネットワーク転送速度の向上に伴い、撮影された画像を自動、手動を問わずにネットワークを使って外部機器へ転送するような撮像装置が存在する。それに加えて、業務用途で使用される音声メモ機能を搭載した撮像装置が存在する。音声メモとして録音された音声データは、画像データに関連付けされ、ネットワークを使って外部機器へ画像データを転送する際に、関連付けされた音声データも合わせて転送されるといった機能が提供されている。
【０００３】
例えば、特許文献１では、音声データを他の電子機器に転送する際、画像データを抽出し、音声データと画像データとの対応付けを行い、対応付けられた画像データを音声データとともに再生装置に転送するデータ転送装置に関する技術が公開されている。特許文献２では、他の装置への画像を転送する際、転送履歴情報を参照し、他の装置へ未転送の画像を一括して転送するモードを有する撮像装置に関する技術が公開されている。
【先行技術文献】
【特許文献】
【０００４】
【特許文献１】特開２００７−１８０７７９号公報
【特許文献２】特開２００１−６９２９６号公報
【発明の概要】
【発明が解決しようとする課題】
【０００５】
しかしながら、上述の特許文献に開示された従来技術では、画像データの選択、画像データの転送指示が例外的なタイミングで行われた場合の、関連データの転送制御に関して触れられていない。
【０００６】
そこで本発明の目的は、画像データと画像データに関連するデータを転送する際に、画像データの選択方法、関連データを付与するタイミングなどにかかわらず画像と画像に関連するデータを転送することを可能にした撮像装置を提供することである。
【課題を解決するための手段】
【０００７】
上記課題を解決するために、本発明に係る通信装置は、画像データを記録する第１の記録手段と、前記画像データと関連する関連データを記録する第２の記録手段と、外部装置に転送対象とする画像データを管理する管理手段と、前記第１の記録手段により記録された画像データのうち、前記外部装置に転送する画像データを選択する選択手段と、前記選択手段により選択された画像データを前記外部装置に転送する転送手段と、前記第２の記録手段により前記関連データが記録されるタイミングで、前記記録される関連データに対応する画像データが前記管理手段により既に転送対象として管理されているかを判定する判定手段とを有し、前記判定手段により、前記記録される関連データに対応する画像データが前記管理手段により既に転送対象として管理されていると判定された場合、前記管理手段は、当該関連データも転送対象として管理することを特徴とする通信装置。
【発明の効果】
【０００８】
本発明によれば、画像データと画像データに関連するデータを転送する際に、操作方法、タイミングによらず画像データと画像に関連するデータを転送することが可能な撮像装置を提供することができる。
【図面の簡単な説明】
【０００９】
【図１Ａ】第１の実施形態における、通信装置の処理シーケンスを示す。
【図１Ｂ】第２の実施形態における、通信装置の処理シーケンスを示す。
【図１Ｃ】第３の実施形態における、通信装置の処理シーケンスを示す。
【図１Ｄ】第１の実施形態における、通信装置の処理シーケンスを示す。
【図２】第１の実施形態における、撮像装置のハード構成を示す。
【図３】第１の実施形態における、撮像装置の表示例を示す。
【発明を実施するための形態】
【００１０】
以下に、本発明の好ましい実施の形態を、添付の図面に基づいて詳細に説明する。
【００１１】
図２は、本発明の実施形態にかかわる通信装置の一例である、撮像装置の構成図である。２００は撮影レンズである。撮影レンズの種類としては、単焦点レンズやズームレンズが存在する。２０１は撮像素子である。撮像素子２０１にはＣＣＤやＣＭＯＳセンサなどが用いられ、撮影レンズ２００によって結像された被写体像を電気信号に変換する。２０２はＡ／Ｄ変換器である。Ａ／Ｄ変換器２０２は撮像素子２０１のアナログ出力信号をデジタル信号に変換する。２０３はマイクロコンピュータである。マイクロコンピュータ２０３は各構成要素の制御やデータ処理など撮像装置全体を制御する。操作部材２０９からの操作指示を受けた制御、表示部２０８へ表示する画像の生成、通信部材２０７を介したネットワーク制御等を行う。また、本実施形態で説明する転送する画像データの選択、音声データの生成、画像転送管理制御等を行う。２０４は揮発性メモリである。揮発性メモリ２０４にはＡ／Ｄ変換器でデジタル信号に変換された画像データを一時的に保持する。２０５は不揮発性メモリである。不揮発性メモリ２０５にはマイクロコンピュータ２０３で処理する撮像装置の実行プログラムがある。不揮発性メモリ２０５には撮像装置における設定値も記憶している。２０６は画像処理部である。画像処理部２０６では、撮影された画像に対する画像処理を行う。２０７は通信部材である。例えば、無線ＬＡＮなどの技術を想定する。通信技術に関しては、有線接続、無線接続等の区別は特に考慮しない。ＦＴＰ転送のようなものを想定しているが、既存の技術を使う想定であるため、本実施形態では特に限定しない。２０８は表示部材である。マイクロコンピュータ２０３によって制御され、メニューの表示等を行う。転送対象の画像データの選択、音声データを付与する画像の選択等は表示部２０８を使って制御する。２０９は操作部材である。表示部材２０８で表示されたものに対する操作を行う。操作部材としては、キー操作やタッチパネル等の操作部材を想定している。２１０は記録メディアである。ＣＦといったものを想定している。マイクロコンピュータ２０３を使って、揮発性メモリ２０４のデータを記録メディア２１０への書き込み、または、記録メディア２１０に保存されているデータを揮発性メモリ２０４へ読み出すことを想定している。２１１は音声制御部である。音声制御部を使って音声データをアナログデータからデジタルデータへ変換し、マイクロコンピュータ２０３を使用して音声メモデータを生成し、画像データに関連付ける。この音声メモデータが、画像データの関連データの一例である。
【００１２】
下記の実施形態を説明する前提として、本発明を実施するための転送画像の選択処理、音声メモデータを付与するための処理の詳細例を示す。
【００１３】
まず、図３（ａ）を用いて、転送画像を選択する処理の画面表示例を示す。ここでは、記録メディア２１０に「ＩＭＧ−０００１．ｊｐｇ」が保存されている前提で説明する。３００は記録メディア２１０に保存されている画像を撮像装置で再生した表示部２０８の状態を示す。「ＩＭＧ−０００１．ｊｐｇ」を再生している状態である。ユーザは、表示している画像を見ながらどの画像を転送するかどうかを設定する。操作方法としては、タッチパネル、キー操作などの操作部材２０９での操作を想定する。３０１は表示している画像が転送されたものかどうかなどの情報を含む、転送管理の状態を示す領域である。
【００１４】
画像の転送管理について説明する。転送管理とは、その画像が送信対象なのか、すでに送信された画像なのか、送信対象として選択されていないのか、など、転送に関する状態を画像と対応づけて管理している状態を意味する。例えば、３００でユーザが転送対象の画像として選択した場合には、転送管理としては「転送待ち」状態として管理される。「転送待ち」のような転送管理を示す表示としては、例えば「レ」３０２のような状態とする。３０２のように選択された画像が存在した場合、ユーザが転送を選択することで、「転送待ち」状態の画像を転送先に送信する。３０３のような明示的な転送開始ボタンを用意し、転送開始が押下されることで転送を開始させてもよいし、３０２で選択状態としたことをトリガとして転送を開始してもよい。このあたりの詳細な転送開始タイミング、条件については従来からの技術であるため、どのような方法を用いてもよい。３０３の操作で転送が開始され、転送が完了すると、画像管理としては「転送済み」の状態として画像を管理する。例えば、３０４のように「○」といった表現をすることでユーザに表示する方法が想定される。
【００１５】
これまでは表示部２０８に表示した１枚の画像に対して転送する画像を選択する方法を説明したが、３０５のようにメニューとして複数画像を一度に選択できるような選択肢を表示させ、ユーザに選ばせる方法でもよい。画像選択については、これまでの技術で提供可能なものすべてを想定している。転送管理の実施方法についても、様々な方法を想定している。例えば画像ごと「転送待ち」「転送済み」「未転送」の情報を管理し、記録メディア２１０に隠しファイルとして保持してもよいし、揮発性メモリ２０４を転送管理の状態が変わるたびに更新するような実施を行ってもよい。また、ファイルのメタ情報としてファイル内部で保持してもよい。
【００１６】
音声メモデータの付与方法についても説明する。音声メモ付与処理の画像表示イメージを図３（ｂ）に示す。３０６は記録メディア内の画像「ＩＭＧ−０００１．ｊｐｇ」を撮像装置で再生した表示部２０８の状態を示す。再生している画像に対して音声メモデータを付与するために、例えば操作部材２０９を用いて所定の操作を行うことで音声メモデータの録音を開始させる。音声メモを録音している状態を示す表示例を３０７に示す。音声メモデータは音声制御部２１１を使って取り込み、マイクロコンピュータ等を使ってデジタル処理を実施し、対象となる画像データと関連付けし、記録メディア２１０に記録する。音声メモが付与された画像を表示する際には、そのことが分かるような表示、例えば、「♪」マーク３０８のような表示を行うことを想定している。
【００１７】
画像データとの関連づけの方法についても特に限定しないが、本実施形態では、画像と同様のファイル名を採用し、別拡張子としてファイル保存するような処理を想定している。この場合、「ＩＭＧ−０００１．ｊｐｇ」の関連音声メモデータは、「ＩＭＧ−０００１．ｗａｖ」というファイル名で保存される。別の方法としては、画像データのヘッダ情報部分に生成した音声メモファイルの情報、例えば、音声データファイルを一意に特定する識別子を記載する方法でもよい。本実施形態では音声データファイルを別のファイルとして記録される想定で詳細な説明をするが、画像ファイルの一部分に音声データを埋め込むような実施方法でもよい。
【００１８】
＜第１の実施形態＞
以下、図１Ａを参照して、本発明の第１の実施形態による、音声データ生成時に関連する画像の転送管理状態に応じて、音声データを転送対象として管理するかどうかを切り替える制御について説明する。なお、図１Ａ〜図１Ｄのフローチャートは、撮像装置のマイクロコンピュータ２０３が、各種のプログラムや入力信号に従い、撮像装置の各部を制御することにより実現される。
【００１９】
Ｓ１００で操作部材２０９によって、表示部２０８に再生されている画像に対して、音声メモデータの録音開始の指示がされたかどうかを判定する。音声メモデータの付与方法については上記で述べたような手段を想定している。Ｓ１００で音声メモデータが付与されるまで、Ｓ１００を繰り返す。Ｓ１００で音声データの録音が開始された場合、Ｓ１０１で音声メモの録音処理を実施する。音声制御部２１１によって音声データを取得し、マイクロコンピュータ２０３を使ってデジタルデータ処理を実施する。Ｓ１０２で音声データを生成し、マイクロコンピュータ２０３で制御し、記録メディア２１０に記録する。音声メモの記録方法についても、上記で述べたような処理を想定している。Ｓ１０３でＳ１０２にて生成した音声データと関連がある画像の転送管理情報を確認する。Ｓ１０４でＳ１０３にて取得した情報を使用し、関連する画像が転送管理の対象かどうかを判定する。転送管理対象ではない場合は、特に何もしない。転送管理対象である場合には、Ｓ１０５へ進む。Ｓ１０５で転送管理の状態を判定する。転送管理の状態が「転送待ち」ではない場合には、特に何もしない。上記でも述べたが、「転送待ち」ではない状態としては、「転送済み」等の状態を想定する。Ｓ１０５で画像の転送管理状態が「転送待ち」状態の場合には、Ｓ１０６で音声データを転送管理の対象とする。Ｓ１０７で音声データの転送管理の状態を「転送待ち」状態とする。これらの処理を実施することで、画像転送が開始された際、画像と画像に関連する音声データを転送先の機器に送信することが可能となる。
【００２０】
ここで図１Ｄを使って、上述の画像転送が開始された際に画像と画像に関連するデータを転送先へ送信する際の詳細な処理を説明する。Ｓ１３９でＦＴＰ接続状態を検知する。Ｓ１４０でＦＴＰ接続状態かどうかを判定する。Ｓ１４０でＦＴＰ接続状態となるまでＳ１３９、Ｓ１４０を繰り返す。Ｓ１４０でＦＴＰ接続状態となったら、Ｓ１４１で画像転送開始ボタン状態を検知する。画像転送開始ボタンを例にあげているが、転送開始のきっかけをユーザに提示すればよい。例えば、３０３のボタンのように、表示部材２０８に転送開始を示すボタンを表示し、操作部材２０９で選択されたかどうかを検出する。Ｓ１４２で画像転送開始ボタンが押下されたかどうかを判定する。画像転送開ボタンが押されるまで、Ｓ１４１、Ｓ１４２を繰り返す。Ｓ１４２で画像転送開始ボタンが押されると、Ｓ１４３で転送管理情報を取得する。ここで、転送管理情報の例を図３（ｃ）に示す。詳細な管理方法については既存の技術を用いればよいため特に限定しないが、例えば、ファイル名と転送管理の状態をセットで管理しておく。詳細な例を３０９に示す。ＩＭＧ＿０００１．ｊｐｇは「転送済み」状態であることを示す。ＩＭＧ＿０００１．ｗａｖは「転送待ち」状態であることを示している。Ｓ１４４でＳ１４３にて取得した転送管理情報から「転送待ち」状態の画像データ情報を取得する。３０９の例だと、ＩＭＧ＿０００１．ｗａｖ、ＩＭＧ＿０００２．ｊｐｇ、ＩＭＧ＿０００２．ｗａｖの３つが該当する。Ｓ１４５で「転送待ち」状態のデータがあるかどうかを判定する。前述の通り、３つのデータが存在するため、Ｓ１４６へ進む。Ｓ１４６にて、対象のデータをＦＴＰサーバへ転送する。この例では、ＩＭＧ＿０００１．ｗａｖをＦＴＰサーバへ転送する。Ｓ１４７でデータの転送管理情報を「転送済み」状態に変更する。ＩＭＧ＿０００１．ｗａｖを「転送済み」状態とする。転送管理情報の状態が更新された様子を３１０に示す。対象のデータを処理するたびに転送管理情報を更新する。Ｓ１４５へ戻って残り２つの「転送待ち」状態のデータに対して、Ｓ１４６、Ｓ１４７の処理を繰り返す。Ｓ１４５で「転送待ち」状態のデータが無くなったら本処理は終了となる。その際の転送管理情報の例を３１１に示す。「転送待ち」のデータがすべて転送済みの状態となる。
【００２１】
本実施形態によれば、画像が転送管理の対象となっている場合に、後から音声データを付与するようなユーザ操作がされても、画像と画像に関連する音声データを転送先の機器へ転送することができるため、ユーザの操作性を向上させることが可能となる。
【００２２】
＜第２の実施形態＞
以下、図１Ｂを参照して、本発明の第２の実施形態による、音声データ生成時に関連する画像の転送管理状態とＦＴＰの接続状態に応じて、音声データを転送するかどうかを切り替える制御について説明する。なお、第１の実施形態と同様の処理についての詳細な説明は省略する。
【００２３】
Ｓ１０８で操作部材２０９によって、表示部２０８に再生されている画像に対して、音声メモデータの録音開始の指示がされたかどうかを判定する。Ｓ１０８で音声メモデータが付与されるまで、Ｓ１０８を繰り返す。Ｓ１０８で音声データの録音が開始された場合、Ｓ１０９で音声メモの録音処理を実施し、Ｓ１１０で音声データを生成する。Ｓ１１１でＳ１１０にて生成した音声データと関連がある画像の転送管理情報を確認する。Ｓ１１２でＳ１１１にて取得した情報使用し、関連する画像が転送管理の対象かどうかを判定する。転送管理対象ではない場合は、特に何もしない。転送管理対象である場合には、Ｓ１１３へ進む。Ｓ１１３で転送管理の状態を確認する。Ｓ１１３で画像の転送管理状態が「転送待ち」状態の場合には、Ｓ１１４で音声データを転送管理の対象とする。Ｓ１１５で音声データの転送管理の状態を「転送待ち」状態とする。これらの処理を実施することで、画像転送が開始された際、画像と画像に関連する音声データを転送先の機器に送信することが可能となる。
【００２４】
Ｓ１１３で転送管理の状態が「転送待ち」ではない場合には、Ｓ１１６に進む。Ｓ１１６で画像の転送管理状態が「転送済み」状態かどうかを判定する。Ｓ１１６で「転送済み」状態で無い場合には、何もしない。Ｓ１１６で「転送済み」状態の場合には、Ｓ１１７にてＦＴＰ接続状態を検知する。Ｓ１１８にてＳ１１７で検知した結果がＦＴＰ接続状態ではない場合は何もしない。Ｓ１１８でＦＴＰ接続中の場合には、Ｓ１１９にてＳ１１０で生成した音声データをＦＴＰ接続先へ転送する。Ｓ１２０で転送が完了した音声データの転送管理状態を転送済み状態とする。
【００２５】
第１の実施形態において図１Ｄを使って説明したとおり、Ｓ１１５で転送待ち状態となった音声データについては、次回画像転送が開始されたタイミングで転送先に送信することが可能となる。
【００２６】
本実施形態によれば、転送済みの画像に対して後から音声データが付与されるようなユーザ操作が行われた場合においても、画像と画像に関連する音声データを転送先の機器へ転送することができる。また、ＦＴＰ接続中に音声データが生成された場合は、そのタイミングで音声データを転送することが可能となり、ユーザ操作を介さずに画像に追従して音声データを転送することが可能となる。これらにより、ユーザの操作性を向上させることが可能となる。
【００２７】
＜第３の実施形態＞
以下、図１Ｃを参照して、本発明の第３の実施形態による、音声データ生成時に関連する画像の転送管理状態とＦＴＰの接続状態に応じて、画像データと音声データを転送するかどうかを切り替える制御について説明する。なお、第１の実施形態と同様の処理についての詳細な説明は省略する。
【００２８】
Ｓ１２１で操作部材２０９によって、表示部２０８に再生されている画像に対して、音声メモデータの録音開始の指示がされたかどうかを判定する。Ｓ１２１で音声メモデータが付与されるまで、Ｓ１２１を繰り返す。Ｓ１２１で音声データの録音が開始された場合、Ｓ１２２で音声メモの録音処理を実施し、Ｓ１２３で音声データを生成する。Ｓ１２４でＳ１２３にて生成した音声データと関連がある画像の転送管理情報を確認する。Ｓ１２５でＳ１２４にて取得した情報使用し、関連する画像が転送管理の対象かどうかを判定する。転送管理対象ではない場合は、特に何もしない。転送管理対象である場合には、Ｓ１２６へ進む。Ｓ１２６で転送管理の状態を確認する。Ｓ１２６で画像の転送管理状態が「転送待ち」状態の場合には、Ｓ１２７で音声データを転送管理の対象とする。Ｓ１２８で音声データの転送管理の状態を「転送待ち」状態とする。これらの処理を実施することで、画像転送が開始された際、画像と画像に関連する音声データを転送先の機器に送信することが可能となる。
【００２９】
Ｓ１２６で転送管理の状態が「転送待ち」ではない場合には、Ｓ１２９に進む。Ｓ１２９で画像の転送管理状態が「転送失敗」状態かどうかを判定する。Ｓ１２９で「転送失敗」状態で無い場合には、何もしない。Ｓ１２９で「転送失敗」状態の場合には、Ｓ１３０にてＦＴＰ接続状態を検知する。Ｓ１３１にてＳ１３０で検知した結果がＦＴＰ接続状態ではない場合はＳ１３７で音声データを転送管理対象とする。Ｓ１３８で音声データを「失敗画像」状態とする。これらの処理を実施することで、失敗画像を再度転送しようとした際に、画像に関連する音声データも転送先に送ることが可能となる。
【００３０】
Ｓ１３１でＦＴＰ接続中の場合には、Ｓ１３２で画像データを接続先へ転送する。Ｓ１３３でＳ１３２にて転送した画像の転送管理情報を「転送済み」状態とする。Ｓ１３４で画像に関連する音声データを接続先へ転送する。Ｓ１３５で音声データを転送管理対象とし、Ｓ１３６で音声データの転送管理状態を「転送済み」状態とする。
【００３１】
第１の実施形態において図１Ｄを使って説明したとおり、Ｓ１２８で転送待ち状態となった音声データについては、次回画像転送が開始されたタイミングで転送先に送信することが可能となる。
【００３２】
本実施形態によれば、転送失敗画像に対して後から音声データが付与されるようなユーザ操作が行われた場合においても、画像と画像に関連する音声データを転送先の機器へ転送することができる。また、ＦＴＰ接続中の場合には、音声データが作成されたタイミングで失敗画像と関連する音声データを自動で転送することが可能となる。これにより、ユーザの操作性を向上させることが可能となる。
【００３３】
＜他の実施形態＞
第１〜３の実施形態を説明したが、全ての実施形態において、画像データと音声データを別ファイルとして制御する前提で説明したが、画像データと音声データを１つのファイルとして扱う場合においても本実施形態としては想定している。
【００３４】
第２、３の実施形態についてはＦＴＰ転送を例に説明したが、ＦＴＰ転送に限らず、ネットワークを使って転送するような任意の機能に適応させることを想定している。
【００３５】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【００３６】
以上、本発明の好ましい実施形態について説明したが、本発明はこれらの実施形態に限定されず、その要旨の範囲内で種々の変形及び変更が可能である。
【図１Ａ】
2018186467.tif 000003
【図１Ｂ】
2018186467.tif 000004
【図１Ｃ】
2018186467.tif 000005
【図１Ｄ】
2018186467.tif 000006
【図２】
2018186467.tif 000007
【図３】
2018186467.tif 000008
【手続補正書】
【提出日】平成30年4月5日(2018.4.5)
【手続補正１】
【補正対象書類名】特許請求の範囲
【補正対象項目名】全文
【補正方法】変更
【補正の内容】
【特許請求の範囲】
【請求項１】
画像データを記憶する記憶手段と、
前記記憶手段に記憶された画像データから外部機器に送信する画像データを選択する選択手段と、
画像データの関連データを画像データに対応付けて生成する生成手段と、
前記選択手段によって選択された画像データを外部機器に送信する送信手段と、を備え、
前記送信手段は、前記生成手段によって関連データが生成された時点が、前記選択手段によって画像選択がなされた時点の前後の何れであっても、画像データと関連データの対応付けに基づき、選択された画像データとともに関連データを外部機器に送信することを特徴とする通信装置。
【請求項２】
前記選択手段によって選択された画像データが前記送信手段による送信待ちの状態で、前記生成手段によって当該画像データの関連データが生成された場合であっても、前記送信手段は、選択された画像データとともに関連データを外部機器に送信することを特徴とする請求項１に記載の通信装置。
【請求項３】
前記選択手段によって選択された画像データが前記送信手段によって送信された後に、前記生成手段によって当該画像データの関連データが生成された場合であっても、前記送信手段は、前記外部装置との通信接続を検知して、関連データを外部機器に送信することを特徴とする請求項１または２に記載の通信装置。
【請求項４】
音声を録音する録音手段をさらに備え、
前記関連データは前記録音手段によって録音された音声データであることを特徴とする請求項１から３のいずれか１項に記載の通信装置。
【請求項５】
前記画像データを再生して画像表示する表示手段をさらに備え、
前記生成手段は、前記表示手段によって画像データの再生中に録音された音声データを、前記画像データに対応付けて関連データを生成することを特徴とする請求項４に記載の通信装置。
【請求項６】
前記生成手段は、前記画像データの同じファイル名で別拡張子を用いて前記関連データを生成することを特徴とする請求項１から５のいずれか１項に記載の通信装置。
【請求項７】
画像データを記録する第１の記録手段と、
前記画像データと関連する関連データを記録する第２の記録手段と
外部装置に転送対象とする画像データを管理する管理手段と、
前記第１の記録手段により記録された画像データのうち、前記外部装置に転送する画像データを選択する選択手段と、
前記選択手段により選択された画像データを前記外部装置に転送する転送手段と、
前記第２の記録手段により前記関連データが記録されるタイミングで、前記記録される関連データに対応する画像データが前記管理手段により既に転送対象として管理されているかを判定する判定手段とを有し、
前記判定手段により、前記記録される関連データに対応する画像データが前記管理手段により既に転送対象として管理されていると判定された場合、前記管理手段は、当該関連データも転送対象として管理することを特徴とする通信装置。
【請求項８】
前記関連するデータは音声データであることを特徴とする請求項７に記載の撮像装置。
【請求項９】
前記判定手段により、前記記録される関連データに対応する画像データが前記管理手段により既に転送対象として管理され、かつ転送待ちの状態であると判定された場合、前記管理手段は、当該関連データも転送対象として管理することを特徴とする請求項７または８に記載の通信装置。
【請求項１０】
外部装置に転送対象とする画像データの管理が可能な通信装置の制御方法であって、
画像データを記録する第１の記録工程と、
前記画像データと関連する関連データを記録する第２の記録工程と
前記第１の記録工程で記録された画像データのうち、前記外部装置に転送する画像データを選択する選択工程と、
前記選択工程で選択された画像データを前記外部装置に転送する転送工程と、
前記第２の記録手段により前記関連データが記録されるタイミングで、前記記録される関連データに対応する画像データが既に前記転送対象として管理されているかを判定する判定工程と、
前記判定工程で、前記記録される関連データに対応する画像データが既に転送対象として管理されていると判定された場合、当該関連データも転送対象として管理する工程とを有することを特徴とする通信装置の制御方法。
【請求項１１】
コンピュータを、請求項１から９のいずれか１項に記載の通信装置の各手段として機能させる、コンピュータによる実行が可能なプログラム。